(57)【特許請求の範囲】
【請求項１】
球体に一端が接続され、長手方向に伸縮可能な伸縮部材と、
前記伸縮部材の回転を付勢する弾性体と、
前記弾性体による前記伸縮部材の回転を阻止するロック機構部と、
前記ロック機構部による前記伸縮部材の回転の阻止を解除する解除手段と、を備えることを特徴とする投てき型玩具。
【請求項２】
球体を先端に収容して保持する長手形状のアーム部材と、
前記球体に一端が接続され、前記アーム部材と連動して回転し、長手方向に伸縮可能な伸縮部材と、
前記伸縮部材の回転を付勢する弾性体と、
前記弾性体による前記伸縮部材の回転を阻止するロック機構部と、
前記ロック機構部による前記伸縮部材の回転の阻止を解除する解除手段と、を備えることを特徴とする投てき型玩具。
【請求項３】
請求項１において、
前記解除手段により前記伸縮部材の回転の阻止が解除された場合に、前記弾性体が収縮することに連動して前記伸縮部材が回転され、前記伸縮部材の回転に連動して前記球体が所定位置まで回転され、前記伸縮部材が伸張する投てき型玩具。
【請求項４】
請求項２において、
前記解除手段により前記伸縮部材の回転の阻止が解除された場合に、前記アーム部材の動作範囲を規制するストッパ部材が設けられている投てき型玩具。
【請求項５】
請求項２において、
前記解除手段により前記伸縮部材の回転の阻止が解除された場合に、前記弾性体が収縮することに連動して前記伸縮部材が回転され、前記伸縮部材の回転に連動して前記アーム部材の先端と前記球体とが所定位置まで回転され、前記伸縮部材が伸張する投てき型玩具。
【請求項６】
請求項１乃至請求項５のいずれか一項において、
前記ロック機構部は、
前記伸縮部材と連動するつめ車と、
前記つめ車の位置を固定する止めづめを有するレバー部材と、を備える投てき型玩具。
【請求項７】
請求項２、４、５のいずれか一項において、
前記伸縮部材は、前記アーム部材の先端と前記球体との間に接続されるひも体である投てき型玩具。
【請求項８】
請求項１乃至請求項６のいずれか一項において、
前記伸縮部材は、外径が異なる複数の円筒体を収容してなり、前記球体からの引き出し力に連動して収容されている円筒体が順次に引き出される投てき型玩具。
【発明の詳細な説明】
【技術分野】
【０００１】
本発明は、投てき型玩具に関する。
【背景技術】
【０００２】
従来、子供の活発な動作を誘発する玩具としては、球遊びを伴う玩具が知られている(特許文献１参照)。特許文献１には、投入口やバスケットゴールに球を投入したり、スロープで球を落下させる球遊びなどによって遊べる知育玩具について開示されている。
【先行技術文献】
【特許文献】
【０００３】
【特許文献１】特開２００９−１６００６３号公報
【発明の概要】
【発明が解決しようとする課題】
【０００４】
しかしながら、従来の玩具にあっては、投入口やバスケットゴールに球を投入したり、スロープで球を落下させる遊びでは、子供が球そのものに興味を持ち、ついには飲み込んでしまうといったことが考えられる。
【０００５】
そこで、球遊びをしながら子供の活発な動作を誘発し、かつ安全な玩具の提供が望まれている。本発明は、上記の問題に鑑みてなされたものであり、球遊びをしながら子供の活発な動作を誘発し、かつ安全な投てき型玩具を提供することを目的とする。
【課題を解決するための手段】
【０００６】
本発明の投てき型玩具は、球体に一端が接続され、長手方向に伸縮可能な伸縮部材と、伸縮部材の回転を付勢する弾性体と、弾性体による伸縮部材の回転を阻止するロック機構部と、ロック機構部による伸縮部材の回転の阻止を解除する解除手段と、を備える。
【０００７】
また、本発明の投てき型玩具において、球体を先端に収容して保持する長手形状のアーム部材を有し、アーム部材は、伸縮部材と連動して回転することが好ましい。また、解除手段により伸縮部材の回転の阻止が解除された場合に、アーム部材の動作範囲を規制するストッパ部材が設けられていることが好ましい。また、解除手段により伸縮部材の回転の阻止が解除された場合に、弾性体が収縮することに連動して伸縮部材が回転され、伸縮部材の回転に連動して球体が所定位置まで回転され、伸縮部材が伸張することが好ましい。また、解除手段により伸縮部材の回転の阻止が解除された場合に、弾性体が収縮することに連動して伸縮部材が回転され、伸縮部材の回転に連動してアーム部材の先端と球体とが所定位置まで回転され、伸縮部材が伸張するものでもよい。
【０００８】
また、本発明の投てき型玩具において、ロック機構部は、伸縮部材と連動するつめ車と、つめ車の位置を固定する止めづめを有するレバー部材と、を備えることが好ましい。また、伸縮部材は、アーム部材の先端と球体との間に接続されるひも体であることが好ましい。また、伸縮部材は、外径が異なる複数の円筒体を収容してなり、球体からの引き出し力に連動して収容されている円筒体が順次に引き出されるものでもよい。
【発明の効果】
【０００９】
本発明に係る投てき型玩具によれば、楽しみを喚起することができ、球遊びをしながら子供の活発な動作を誘発し、かつ安全な投てき型玩具を提供することができる。
【図面の簡単な説明】
【００１０】
【図１】本発明の実施形態による投てき型玩具の一例を示す斜視図である。
【図２】本発明の実施形態による投てき型玩具の一例を側面から見た状態の側面図である。
【図３】本発明の実施形態による投てき型玩具の一例であり、投てき前の待機状態の側面図である。
【図４】本発明の実施形態による投てき型玩具の一例であり、投てき直後の結果状態の側面図である。
【図５】本発明の実施形態による投てき型玩具の一例であり、投てき直後の結果状態を示す斜視図である。
【発明を実施するための形態】
【００１１】
以下、本発明に係る実施の形態について、図面を参照しながら説明する。なお、実施の形態の説明の全体を通じて同じ要素には同じ符号を付して説明する。各図に示す３次元の座標系において、ｚ軸は例えば地球の重力と逆方向を示し、ｘ軸は投てき型玩具の正面に対して右方向を示し、ｙ軸は投てき型玩具の正面に対して奥行き方向とは逆方向を示している。
【００１２】
図１は、本発明の実施形態による投てき型玩具の一例を示す斜視図である。図１に示す投てき型玩具１１は、４つの車輪を軸支するフレーム１２を備えている。フレーム１２の略中央には、ストッパ１２ｂと、伸縮部材１３ａと、アーム部材１４と、回転軸１５と、輪ゴム１６とを備えている。
【００１３】
アーム部材１４は、球体１３を先端のホルダ１４ａに収容して保持する長手形状をしている。回転軸１５は、アーム部材１４の他端を軸支している。伸縮部材１３ａは、球体１３に一端が接続され、回転軸１５に他端が接続され、長手方向に伸縮可能な所定の伸張可能長を有しており、伸縮部材１３ａの内部には、外径が異なる複数の円筒体１３ｂ、１３ｃを収容している。輪ゴム１６は、回転軸１５の周りに沿って一部が突起部１５ａに引っかけて取り付けられ、回転軸１５の回転を付勢する弾性体であり、他端を凹部１２ａに導き、フレーム１２に設けられた突起部（図示しない）に引っかけて取り付けられており、十分な弾性エネルギが蓄積されていることとする。
【００１４】
また、フレーム１２には、アーム部材１４の稼働範囲を角度θ１に制限するためのストッパ１２ｂが設けられている。さらに、フレーム１２の略中央には、輪ゴム１６の収縮力による回転軸１５の回転を阻止するロック機構部１７を備えている。このロック機構部１７は、回転軸１５の側面に設けられたつめ車１８と、つめ車１８にかけて位置を固定する止めづめ１９ａを有するレバー部材１９とを有している。なお、投てき型玩具１１の各部は、例えば樹脂から作られる構成である。
【００１５】
図２〜図５を参照して、上述したように構成された投てき型玩具１１の動作について説明する。まず、図２は、本発明の実施形態による投てき型玩具の一例を側面から見た状態の側面図である。詳しくは、図２において、アーム部材１４のホルダ１４ａの頂点は位置Ａにあり、アーム部材１４はフレーム１２に対して直角をなしており、輪ゴム１６の両端がそれぞれ回転軸１５の突起部１５ａとフレーム１２に設けられた突起部（図示しない）に引っかけてある程度の収縮力を持たせながら取り付けられる。図２に示す状態では、アーム部材１４が軸支されている回転軸１５に輪ゴム１６の収縮力が加わっている。
【００１６】
図２に示す姿勢状態において、球体１３とホルダ１４ａとを例えば指で摘み、Ｆ方向に力を加えると、回転軸１５を中心に球体１３とホルダ１４ａとが−ｘ方向に回転し、図３に示す位置まで回転する。次いで、レバー部材１９を指で摘み、Ｒ方向に力を加えると、レバー部材１９に設けられた止めづめ１９ａがつめ車１８に係合して位置が固定される。この結果、投てき型玩具１１は、図３に示すような投てき前の待機状態になる。
【００１７】
図３は、本発明の実施形態による投てき型玩具の一例であり、投てき前の待機状態の側面図である。アーム部材１４のホルダ１４ａの頂点は位置Ｂにあり、位置Ａ−Ｂ間のなす角度、すなわち、ホルダ１４ａ（球体１３）の稼働範囲角度がθ１であることが解る。投てき型玩具１１が投てき前の待機状態になると、回転軸１５が角度θ１だけ回転し、輪ゴム１６は角度θ１に相当する長さ分だけ弾性エネルギが増加することになる。
【００１８】
次に、レバー部材１９を指で摘み、Ｌ方向に力を加えると、レバー部材１９に設けられた止めづめ１９ａがつめ車１８から解放される。止めづめ１９ａがつめ車１８から解放されると、輪ゴム１６に蓄積されている弾性エネルギが解放されて回転軸１５を回転させ、アーム部材１４のホルダ１４ａの頂点の位置が位置Ｂから位置Ａに移動する。すなわち、アーム部材１４のホルダ１４ａに収納されている球体１３の位置が位置Ｂから位置Ａに移動し、角度θ１に相当する長さ分だけの弾性エネルギの一部が球体１３の回転運動のエネルギに転化する。
【００１９】
次に、アーム部材１４のホルダ１４ａと球体１３とが位置Ａまで移動すると、アーム部材１４の稼働範囲角度がθ１であり、アーム部材１４がフレーム１２に設けられたストッパ１２ｂに衝突してその動きが停止する。アーム部材１４が位置Ａで動きを停止すると、ホルダ１４ａに収容されている球体１３が解放されｘ軸方向への運動を開始する。アーム部材１４の動作範囲を規制するストッパ１２ｂを設けることで、アーム部材１４が必要以上に稼動することを阻止し、球体１３の飛翔を妨げることがなく、より自然な形で球体を飛翔させることができる。
【００２０】
図４は、本発明の実施形態による投てき型玩具の一例であり、投てき直後の結果状態の側面図である。図４に示す位置Ａにおいて、球体１３が解放されｘ軸方向への運動を開始し、同時に、球体１３のｘ軸方向への運動により伸縮部材１３ａが長手方向に伸ばされ、徐々に伸縮部材１３ａが長く伸び、同時に、球体１３は−ｚ軸方向に自由落下を開始する。
【００２１】
次に、伸縮部材１３ａはフレーム１２の先端部１２ｃに衝突してその動きを停止する。この結果、図４に示すように、球体１３は伸縮部材１３ａの伸張可能長となる位置Ｃまで伸張して到達する。詳しくは、図４に示すように、伸縮部材１３ａは、外径が異なる複数の円筒体１３ｂ、１３ｃを収容してなり、球体１３からの引き出し力に連動して収容されている円筒体１３ｂ、１３ｃが順次に引き出されるので、複数の円筒体１３ｂ、１３ｃが伸張可能長まで伸張して球体１３を飛翔させることができる。
【００２２】
図５は、本発明の実施形態による投てき型玩具の一例であり、投てき直後の結果状態を示す斜視図である。球体１３は位置Ｃにあり、位置Ａ−Ｃ間のなす角度、すなわち、球体１３の運動範囲角度がθ２であることが解る。
【００２３】
図２〜図３に示すように、球体１３を先端に収容して長手形状のアーム部材１４に保持し、アーム部材１４の他端を回転軸１５に軸支し、長手方向に伸縮可能な伸縮部材１３ａを球体１３に一端で接続しかつ回転軸１５に他端で接続し、回転軸１５の回転を弾性体で付勢しておき、弾性体である輪ゴム１６による回転軸１５の回転をロック機構部１７により阻止しておき、図４に示すように、ロック機構部１７による回転軸１５の回転の阻止をレバー部材１９により解除することで、弾性体である輪ゴム１６に蓄積された弾性エネルギにより回転軸１５を回転させ、回転軸１５の回転によりアーム部材１４と球体１３とを回転させ、球体１３に運動エネルギを与えて球体１３を飛翔させることができ、このことにより楽しみを喚起することができ、球遊びをしながら子供の活発な動作を誘発し、かつ安全な投てき型玩具を提供することができる。なお、本実施の形態では、球体１３を先端に収容するアーム部材１４を設けたが、必ずしもこれに限られることはない。例えば、アーム部材１４を設けず、回転軸１５の回転により球体１３を回転させ、球体１３に運動エネルギを与えて球体１３を飛翔させる構成としてもよい。
【００２４】
また、レバー部材１９により回転軸１５の回転の阻止が解除された場合に、弾性体である輪ゴム１６が収縮することに連動して回転軸１５が回転され、回転軸１５の回転に連動してアーム部材１４の先端と球体１３とが所定位置まで回転され、球体１３が所定位置まで回転された後に、球体１３が飛翔するとともに、図４に示すように、伸縮部材１３ａの伸張可能長まで伸張する。このことにより楽しみを喚起することができ、球遊びをしながら子供の活発な動作を誘発し、かつ安全な投てき型玩具を提供することができる。
【００２５】
さらに、ロック機構部１７は、回転軸１５の側面につめ車１８を設け、つめ車１８にかけて位置を固定する止めづめ１９ａをレバー部材１９に有するので、回転軸１５の回転の阻止を解除することができ、投てき型玩具の利用者に興味性が増し、投てき型玩具により楽しみを喚起することができる。
【００２６】
伸縮部材１３ａは、外径が異なる複数の円筒体１３ｂ、１３ｃを収容してなり、球体１３からの引き出し力に連動して収容されている円筒体１３ｂ、１３ｃが順次に引き出されるので、複数の円筒体１３ｂ、１３ｃが伸張可能長まで伸張して球体１３を飛翔させることができ、このことにより楽しみを喚起することができ、球遊びをしながら子供の活発な動作を誘発し、かつ安全な投てき型玩具を提供することができる。
【００２７】
以上、本発明の好ましい実施例について詳述したが、本発明に係る投てき型玩具は上述した実施例に限定されるものではなく、本発明の要旨の範囲内において、種々の変形、変化が可能である。例えば、本実施例では、球体に一端が接続され、回転軸に他端が接続され、長手方向に伸縮可能な伸縮部材１３ａを設けているので、球体に運動エネルギを与えて球体を伸縮部材１３ａの伸張可能長まで伸張させることができるという構造を示したが、逆に、アーム部材の先端と球体との間に接続されるひも体を設けることで、球体に運動エネルギを与えて球体をひも体の有効長まで飛翔させることができるという構造としてもよい。また、本実施例では、伸縮部材１３ａと弾性体である輪ゴム１６との間に回転軸１５を設ける構成としたが、弾性体によって伸縮部材１３ａが回転するものであれば必ずしもこれに限られるものではない。例えば、伸縮部材１３ａ自体に輪ゴム１６を留める突起部等を設け、伸縮部材１３ａを回転可能としてもよい。また、本実施例では、回転軸１５の側面につめ車１８を設ける構成としたが、伸縮部材１３ａとつめ車１８が連動するものであれば必ずしもこれに限られるものではない。例えば、伸縮部材１３ａとつめ車１８の間に回転軸１５を設けず、伸縮部材１３ａ自体につめ車１８を設けてもよい。
【００２８】
また、本発明にかかる投てき型玩具は、樹脂から作られる構成としたが、本発明はこれに限定されず、金属や木材などから作られても良い。
【符号の説明】
【００２９】
１１  投てき型玩具
１２  フレーム
１３  球体
１３ａ  伸縮部材
１４  アーム部材
１５  回転軸
１６  輪ゴム
１７  ロック機構部
１８  つめ車
１９  レバー部材
【図１】
0005116814.tif 000002
【図２】
0005116814.tif 000003
【図３】
0005116814.tif 000004
【図４】
0005116814.tif 000005
【図５】
0005116814.tif 000006